(57)【特許請求の範囲】
【請求項１】
フレーム状のユニットベース（３０）に開設されている矩形状の開口（３１）内にバニティミラー（４０）、照明アッセンブリ（５０）を隣接設置してなるミラーアッセンブリユニットにおいて、
前記ユニットベース（３０）の開口（３１）の両側に照明アッセンブリ（５０）の受容部（３４ａ，３４ｂ）が左右対称状に設けられているとともに、バニティミラー（４０）が開口（３１）内に左右方向にスライド自在に装着され、バニティミラー（４０）を左右方向任意にスライド操作することにより、照明アッセンブリ（５０）の受容部（３４ａ，３４ｂ）が選択され、バニティミラー（４０）と照明アッセンブリ（５０）との配列を可変できるようにしたことを特徴とするミラーアッセンブリユニット。
【請求項２】
ユニットベース（３０）の開口（３１）の両側に設けられる照明アッセンブリ（５０）の受容部（３４ａ，３４ｂ）には、ユニットベース（３０）に取り付けられる開閉リッド（３２）の開閉操作により、照明アッセンブリ（５０）に通電できる操作部が設けられていることを特徴とする請求項１に記載のミラーアッセンブリユニット。
【発明の詳細な説明】
【０００１】
【発明の属する技術分野】
この発明は、ミラーアッセンブリユニットに係り、特に、バニティミラーとバニティミラーを照光する照明アッセンブリとの配列を可変する際、ユニットベースを共用化できるミラーアッセンブリユニットに関する。
【０００２】
【従来の技術】
例えば、車室内には、化粧直し等を考慮してミラーアッセンブリユニットがサンバイザやフロントシートのシートバック背面側に設けられており、これらミラーアッセンブリユニットには、夜間使用に供するように照明アッセンブリをバニティミラーと隣接して配置するものも多い。
【０００３】
例えば、図７に基づいて、運転席側の自動車用サンバイザにミラーアッセンブリユニットを設置した場合について説明すると、サンバイザ１は、サンバイザ本体２が回動用シャフト３により回動自在に支承されており、サンバイザ本体２の正面側（サンバイザ本体２をフロントウインドウ側に展開操作した際乗員と対向する面側）の中央にミラーアッセンブリユニット４が装着されている。このミラーアッセンブリユニット４はユニットベース５にバニティミラー６と照明アッセンブリ７が隣接設置されており、バニティミラー６並びに照明アッセンブリ７を覆うように開閉リッド８がユニットベース５にヒンジ部を介して取り付けられている。
【０００４】
そして、運転席側のサンバイザ１に装着されるミラーアッセンブリユニット４は、バニティミラー６の左側に照明アッセンブリ７が隣接設置されているが、図８に示すように、アシスト席側の自動車用サンバイザ１´においては、サンバイザ本体２の中央に取り付けられるミラーアッセンブリユニット４は、バニティミラー６の右側に照明アッセンブリ７が隣接設置されている。
【０００５】
【発明が解決しようとする課題】
このように、運転席側及びアシスト席側のサンバイザ１，１´に装着されるミラーアッセンブリユニット４は、運転席側とアシスト席側では照明アッセンブリ７の位置が逆であり、照明アッセンブリ７の位置が左右逆である場合には、照明アッセンブリ７の支持部や配線構造等を考慮して、ミラーアッセンブリユニット４におけるユニットベース５の成形金型も別型を使用しなければならず、コスト高を招くという問題点があった。
【０００６】
同様に照明アッセンブリ７のないミラーアッセンブリユニット４の場合には、別の成形型を使用する必要があり、ミラーアッセンブリユニット４におけるユニットベース５の成形金型は、照明アッセンブリ７の有無や、照明アッセンブリ７の左右位置変更によりそれぞれ別型を用意する必要があり、成形金型コストが多くかかるとともに、金型並びに部品の管理上も煩わしく、ユニットベース５の共用化が望まれていた。
【０００７】
この発明は、このような事情に鑑みてなされたもので、照明アッセンブリの有無や、照明アッセンブリの配置変更についても単一のユニットベースで共用化でき、金型コストを削減でき、管理コストも低減できるミラーアッセンブリユニットを提供することを目的としている。
【０００８】
【課題を解決するための手段】
上記目的を達成するために、本発明は、フレーム状のユニットベースに開設されている矩形状の開口内にバニティミラー、照明アッセンブリを隣接設置してなるミラーアッセンブリユニットにおいて、前記ユニットベースの開口の両側に照明アッセンブリの受容部が左右対称状に設けられているとともに、バニティミラーが開口内に左右方向にスライド自在に装着され、バニティミラーを左右方向任意にスライド操作することにより、照明アッセンブリの受容部が選択され、バニティミラーと照明アッセンブリとの配列を可変できるようにしたことを特徴とする。
【００１０】
ここで、ミラーアッセンブリユニットは、サンバイザに取り付けて使用しても良く、また、シートバック背面側に設けるようにしても良い。
【００１１】
以上の構成から明らかなように、ユニットベースの中央に設けた矩形状の開口の両側に照明アッセンブリを受容する受容部が設けられる一方、バニティミラーの幅寸法がユニットベースの開口の幅寸法より短く設定され、バニティミラーが開口内で左右方向にスライド自在に設定されているため、ミラーを左右側にスライド操作して、照明アッセンブリを左右いずれかに設けることにより、照明アッセンブリの左右違いに対応でき、また、中央にバニティミラーを位置決めして、両側に照明アッセンブリを隣接配置することにより、３つの仕様違いに同一のユニットベースで対応することができる。
【００１３】
【発明の実施の形態】
以下、本発明に係るミラーアッセンブリユニットの実施形態について、添付図面を参照しながら詳細に説明する。
【００１４】
図１は本発明に係るミラーアッセンブリユニットを運転席側サンバイザに設置した一実施形態を示す斜視図、図２は同ミラーアッセンブリユニットの構成を示す分解斜視図、図３乃至図６はミラーアッセンブリユニットにおけるバニティミラーと照明アッセンブリの配列を変更した各種実施形態を示す各斜視図である。
【００１５】
図１において、ミラー付きサンバイザ１０は、日除け機能をもつサンバイザ本体１１が回動用シャフト１２により回動自在に支承されており、回動用シャフト１２を支持するブラケット１３が天井側に取り付けられている。従って、サンバイザ本体１１は回動用シャフト１２の軸廻りに上下方向に回動可能であり、かつ回動用シャフト１２がブラケット１３内で軸芯廻りに回動可能であるため、サンバイザ本体１１は、上下方向並びに左右方向に回動操作でき、任意の位置に展開操作できる。
【００１６】
また、このミラー付きサンバイザ１０は、回動用シャフト１２の反対側で補助ノブ１４が天井側に取り付けられているホルダ１５に着脱自在に嵌着されることにより、回動用シャフト１２と補助ノブ１４の２点支持により確実な保持がなされる。
【００１７】
ところで、このミラー付きサンバイザ１０は、サンバイザ本体１１の一側面（フロントウインドウ側に展開操作したとき乗員と対向する側面）の中央にミラーアッセンブリユニット２０が装着されており、本発明の特徴は、このミラーアッセンブリユニット２０において、照明アッセンブリの有無、照明アッセンブリの配置変更の仕様違いに対しても同一のユニットベースを使用でき、成形型の共用化に伴なうコストダウン並びに管理コストの低減化を狙ったものである。
【００１８】
すなわち、このミラーアッセンブリユニット２０は、図２に示すように、サンバイザ本体１１に取り付けられる樹脂成形体からなるフレーム状のユニットベース３０と、ユニットベース３０の中央に開設される矩形状の開口３１に嵌め込まれるバニティミラー４０と、バニティミラー４０に隣接して開口３１に嵌め込まれる照明アッセンブリ５０とから大略構成されている。
【００１９】
更に詳しくは、ユニットベース３０には、開閉リッド３２が開閉自在に取り付けられており、ユニットベース３０の開口３１に嵌め込まれるバニティミラー４０や、照明アッセンブリ５０を被覆できる。この開閉リッド３２は、両側の支持軸３２１がユニットベース３０の軸受け部内に回動可能に軸受けされており、開閉リッド３２の閉鎖位置及び図２に示す開放位置で開閉リッド３２を保持できる保持手段として、カム機構が用いられている。
【００２０】
すなわち、このカム機構としては、図示はしないが板バネが内装され、この板バネに対して開閉リッド３２の回動軸にカム片が突設され、開閉リッド３２の閉鎖時と展開時において、カム片に対して板バネからバネ力が加わるように構成されている。
【００２１】
ところで、本発明では、ユニットベース３０の構成に特徴があり、ユニットベース３０の中央に設けられている矩形状の開口３１の上下縁部には、バニティミラー４０を左右方向にスライド自在に支持できる溝部３３が形成され、かつ開口３１の両側には、照明アッセンブリ５０を受容する受容部３４（３４ａ，３４ｂ）が設けられている。
【００２２】
また、照明アッセンブリ５０は、ランプホルダ５１と照光用レンズ５２とからなり、ランプホルダ５１は、ユニットベース３０の開口３１の上下寸法に合致するケーシング内にランプ５３とランプ５３に電流を供給するコンダクタ５４が組み込まれており、特に、ケーシングから上方に突出する操作片５５が開閉リッド３２の開放操作により、下方向に押圧されてスイッチ部５６の接点５６ａ，５６ｂ同士が接触し、ランプ５３に電流が供給される。尚、開閉リッド３２を閉じれば、接点５６ａ，５６ｂの接触が断たれ、ランプ５３への電流の供給が停止する。
【００２３】
従って、この照明アッセンブリ５０を受容するための開口３１の左右側の下部には、照明アッセンブリ５０を支持する支持突起３５が設けられており、照明アッセンブリ５０におけるコンダクタ５４の操作片５５が進入する操作孔３６が開口３１の左右側の上部に設けられている。
【００２４】
本発明に係るミラーアッセンブリユニット２０は、以上のように構成されており、ユニットベース３０の開口３１の幅寸法をａ、照明アッセンブリ５０におけるランプホルダ５１の幅寸法をｂ、バニティミラー４０の幅寸法をｃとすれば、ａ−ｂ＝ｃの関係に各寸法を設定する。
【００２５】
そして、ユニットベース３０の開口３１内にバニティミラー４０をスライド自在に装着して、このバニティミラー４０を図中右側方向にスライド操作して、バニティミラー４０のスライド操作により、開口３１のスペース内に照明アッセンブリ５０のランプホルダ５１及び照光用レンズ５２をそれぞれ嵌め込めば、図３に示すように、バニティミラー４０の左側位置に照明アッセンブリ５０を隣接設置したミラーアッセンブリユニット２０を製作することができる。
【００２６】
次いで、ユニットベース３０の開口３１の寸法に対して、バニティミラー４０並びにランプホルダ５１の幅寸法を同一に設定したままで、バニティミラー４０をユニットベース３０の開口３１内で、今度は左方向にスライド操作して、右側に照明アッセンブリ５０を収容するスペースを形成して、右側部分にランプホルダ５１、照光用レンズ５２を嵌め込んで、照明アッセンブリ５０を取り付ければ、図４に示すように、バニティミラー４０に対して右側位置に照明アッセンブリ５０を隣接設置したミラーアッセンブリユニット２０を製作できる。
【００２７】
従って、同一のユニットベース３０を使用しても、照明アッセンブリ５０の左右違いに有効に対応できる。
【００２８】
次に、図２において、ユニットベース３０の開口３１の幅寸法ａとランプホルダ５１の幅寸法ｂ、バニティミラー４０の幅寸法ｃの関係をａ−２×ｂ＝ｃに設定して、バニティミラー４０をユニットベース３０の開口３１の中央に装着して、バニティミラー４０の両側にそれぞれ照明アッセンブリ５０を嵌込み固定すれば、図５に示すように、バニティミラー４０の両側に照明アッセンブリ５０を隣接設置することができる。
【００２９】
以上のように、同一のユニットベース３０を使用して、照明アッセンブリ５０を図３に示す左仕様、図４に示す右仕様、図５に示す左右仕様の３つの仕様違いに共用化することができ、ユニットベース３０の成形金型は１つで済み、部品、金型管理も容易なものとなり、製作コストを大幅に引き下げることができる。
【００３０】
更に、本発明においては、例えば、照明アッセンブリ５０を使用しない照明無しタイプにおいては、ユニットベース３０の開口３１の幅寸法ａとバニティミラー４０の幅寸法ｃを同一寸法に設定すれば、図６に示すように、ユニットベース３０の開口３１内にバニティミラー４０だけを嵌め込む大型ミラーアッセンブリユニットに適用することもでき、本発明に係るユニットベース３０を使用して、図３乃至図６に示す４仕様のミラーアッセンブリユニット２０を製作することができる。
【００３１】
以上説明したミラーアッセンブリユニット２０は、図１に示すミラーサンバイザ１０に適用しても良いが、フロント側シートのシートバック背面に装着して使用することもでき、また、グローブボックス内に収納される携帯タイプのものにも利用できる。
【００３２】
【発明の効果】
以上説明した通り、本発明に係るミラーアッセンブリユニットは、ユニットベースの開口の上下縁部にバニティミラーが左右方向にスライド自在となる溝部が形成されているとともに、開口の左右側に照明アッセンブリの受容部が左右対称状に設けられているため、バニティミラーを開口内で左右方向にスライド操作して、照明アッセンブリの設置箇所を変更することにより、バニティミラーと照明アッセンブリとの配列を変更した右仕様、左仕様、左右仕様の３種類のミラーアッセンブリユニットに同一のユニットケースを共用化でき、型費を廉価に抑え、かつ管理コストも低減化できるという効果を有する。
【図面の簡単な説明】
【図１】本発明に係るミラーアッセンブリユニットを装着したミラー付きサンバイザを示す斜視図である。
【図２】本発明に係るミラーアッセンブリユニットの構成を示す分解斜視図である。
【図３】本発明に係るミラーアッセンブリユニットにおける照明左仕様タイプを示す斜視図である。
【図４】本発明に係るミラーアッセンブリユニットにおける照明右仕様タイプを示す斜視図である。
【図５】本発明に係るミラーアッセンブリユニットにおける照明左右仕様タイプを示す斜視図である。
【図６】本発明に係るミラーアッセンブリユニットにおける大型ミラーユニットを示す斜視図である。
【図７】運転席側のミラー付きサンバイザを示す斜視図である。
【図８】アシスト席側のミラー付きサンバイザを示す斜視図である。
【符号の説明】
１０  ミラー付きサンバイザ
１１  サンバイザ本体
１２  回動用シャフト
２０  ミラーアッセンブリユニット
３０  ユニットベース
３１  開口
３２  開閉リッド
３４（３４ａ，３４ｂ）  受容部
３５  支持突起
３６  操作孔
４０  バニティミラー
５０  照明アッセンブリ
５１  ランプホルダ
５２  照光用レンズ
５３  ランプ
５４  コンダクタ
５５  操作片
５６  接点
ａ  開口の幅寸法
ｂ  ランプホルダの幅寸法
ｃ  バニティミラーの幅寸法
【図１】
0004124312.tif 000002
【図２】
0004124312.tif 000003
【図３】
0004124312.tif 000004
【図４】
0004124312.tif 000005
【図５】
0004124312.tif 000006
【図６】
0004124312.tif 000007
【図７】
0004124312.tif 000008
【図８】
0004124312.tif 000009